(57)【要約】      （修正有）【課題】事業主が顧客に代わって希望ドメインの使用が可能なように、ＷＥＢサーバーにそのシステムを組み込み、利用者に特別の知識が無くてもインターネットに接続するだけで、ホームページを運営公開可能となるようなＷＥＢサーバー機器を提供する。【解決手段】インターネット通信網１にダイナミックＤＮＳサービス提供サーバ２と顧客専用のＷＥＢサーバー３を接続し、この顧客専用のＷＥＢサーバー３に本発明の事業主が、顧客に代わって必要なシステムを組み入れ、このシステム構築したＷＥＢサーバー３を有償で貸与あるいは販売する。【選択図】図１
2006302237.tif 000002
【特許請求の範囲】
【請求項１】
ダイナミックドメインネームシステム（以下ダイナミックＤＮＳと表記）を利用して、顧客が希望する個別のドメインでホームページの公開が可能なように、事業主が顧客に代わって必要なシステムを組み入れたＷＥＢサーバーを構築し、顧客にそれを配送、インターネットへの接続を指導する。このシステム構築したＷＥＢサーバーを有償で貸与あるいは販売する事業。同システムで構築したサーバーのストリーミングサーバーやＦＴＰサーバーとしての応用利用もこれに含むものとする。
【発明の詳細な説明】
【技術分野】
【０００１】  本発明は、インターネット通信の分野で利用される。ホームページを公開する場合、ＷＥＢサーバーまたはＷＥＢサーバー機能を有するパソコン（以下総称してＷＥＢサーバーと表現する）が必要である。さらに個別のドメインとそれに対応するグローバルＩＰアドレスが不可欠である。このような複雑なシステムの中で、ホームページ公開希望者が、安価で容易に自宅あるいは、自己の事務所内にＷＥＢサーバーを設置して独自のドメインでホームページの運用を可能にするのが本発明のシステムである。本発明は、ＷＥＢサーバーとしての利用ばかりではなく、同様のシステムの応用で、ストリーミングサーバーやＦＴＰサーバーとしての応用も可能である。
【背景技術】
【０００２】  従来は、ＷＥＢサーバーを運用する場合、固定のＩＰアドレスを取得して、それと対応するドメインとネームサーバーの設置などの組み合わせでシステム構築が行われている。しかしこの固定グローバルＩＰアドレスの確保には継続的に比較的高価な代償が必要である。それに比してダイナミックドメインネームシステム（以下ダイナミックＤＮＳと表記）は、廉価で容易にＩＰアドレスのサービスが享受可能で、なおかつＷＥＢサーバーの設置場所を移動しても、インターネットへの接続環境さえあれば、何ら影響なくホームページの運営公開が可能であるという利点がある。
一方、ホームページ公開希望者の中には、独自の希望ドメインで、ＷＥＢサーバーを手元において、思いどおりの運用方法での管理を希望しても、現インターネットシステムでの、運営費用が高価であるため、また複雑な固定グローバルＩＰアドレス利用システムの為にそれらを断念している希望者も多いと考えられる。
今現在、ダイナミックＤＮＳを利用して「各個人や各法人が希望するドメイン」を事業主が顧客に代わって前もってＷＥＢサーバーにそのシステムを組み込み、利用者に特別の知識が無くてもインターネットに接続するだけで、どこででも、容易に、廉価な費用で、ホームページを運営公開可能となるようなＷＥＢサーバー機器のリース事業や販売事業はまだ無い。
【発明の開示】
【発明が解決しようとする課題】
【０００３】  本発明が解決しようとする課題は、ホームページ公開希望者が、安い費用で、独自の希望ドメインを用い、ＷＥＢサーバーを手元におくことで、迅速なデーター更改や、巨大なホームページの運営など、思い通りにホームページの管理運営を可能にするような、システム構築済みＷＥＢサーバーの貸与あるいは、販売のビジネスシステムである。
ホームページ公開希望者は、そのホームページ公開に際し、希望するドメインでの運用を望むのが常である。希望のドメインは、ドメイン取得仲介業者に問い合わせして、そのドメインが未登録であれば、使用権利を取得できる。ここまでは容易な手続きで可能だが、自己所有のＷＥＢサーバー上でこのドメインを運用しようと考えたとき、ネームサーバーの設置や、レジストラへの変更手続きなど、一般の利用者には煩雑で困難な要素が多い。そこで、本発明は、利用者希望のドメインの取得から始まり（既取得済みドメインがある場合は、それを運営できるように代行して手続きを行い）、このドメインが、ただちに運営できるようにダイナミックＤＮＳシステムを利用したドメイン認知機能をＷＥＢサーバーに組み込み、このドメインを組み込んだＷＥＢサーバー本体を利用希望者に配送する。利用希望者は何ら複雑な手続きや作業を行うこと無しに、このＷＥＢサーバーを設置し、インターネットへの接続後、容易に自宅あるいは、自己の事務所において、希望のドメインで運営するホームページを公開できる。また同様の方法で、ストリーミングサーバーやＦＴＰサーバーとしての応用も可能である。このシステムを組み込んだＷＥＢサーバーを利用希望者に有償で貸与、あるいは売却する事で新しい事業が生まれる。
【課題を解決するための手段】
【０００４】  発明の実施の形態は、基本的には、利用希望者の希望ドメインの登録代行業務から始まる。希望ドメインを検索して、登録可能であれば登録あるいは登録の仲介を実行する。さらに登録したドメインの管理または、管理の仲介を行う。この登録ドメインに対してダイナミックＤＮＳを利用したＷＥＢサーバーを構築する。ダイナミックＤＮＳにより希望ドメインへのアクセスが可能となったＷＥＢサーバーを利用希望者に有償で貸与、あるいは売却し、配送する。利用者は固定ＩＰアドレスを持たない接続環境でも、インターネットヘの常時接続環境下であればこのＷＥＢサーバーを使用してホームページの公開運営が可能となる。
【発明の効果】
【０００５】  本発明の効果は、専用ＷＥＢサーバーを自宅あるいは自己の事務所に設置を希望する場合、今現在の一般的な方法では、固定グローバルＩＰアドレスの取得、高価な維持費、またネームサーバーの設置など複雑な問題が多く、また専門的な知識と技術が必要である。しかし、本発明のビジネスモデルを利用すれば、専用ＷＥＢサーバー設置希望者は、専門的な知識と技術は不要で、インターネットへの接続環境さえあれば、特定ドメイン認知機能を掲載したＷＥＢサーバーが配送されてきて、インターネット接続モデムのルーターの設定を適正に変更するだけで、容易に、また安価な費用で自己専用のサーバーの運営が可能となる。これはＷＥＢサーバー設置方法の専門的な知識が無い利用者にとって大変有益な発明といえる。
【発明を実施するための最良の形態】
【０００６】  実際のビジネスモデルを想定して具体的に記述すると、顧客から契約希望の連絡があった場合。まず、顧客の希望するドメインを検索して登録を行う。登録の名義人は、顧客本人でも、事業の実施者のどちらでもかまわない。すでに顧客がドメインを登録済みである場合は、本ビジネスに合致するレジストラにドメインの管理を委託する。本事業実施者は、顧客に代行して以下の手続きを行う、すなわち、ダイナミックＤＮＳサービス業者へ顧客希望のドメインでダイナミックＤＮＳのホスト登録を実施、利用代金の決済手続きを決定する。これによりダイナミックＤＮＳの利用が可能となる。次に、顧客に引き渡すＷＥＢサーバーの調整を行う。すでにこのパソコンあるいはサーバーには、基本的なＯＳ（ＷｉｎｄｏｗｓＸＰやＷｉｎｄｏｗｓ  Ｓｅｒｖｅｒ２００３など）はインストールされていると仮定して、これにＩＰアドレス更新ツール（クライアントソフト）をインストールする。インストール後、顧客希望ドメインがこのＷＥＢサーバーで運営可能となるように、ホスト名、ドメイン名、ログインＩＤ、パスワード等を入力して設定を完了する。つぎにＨＴＴＰサーバーソフトをインストールしてホームページの運営可能なように必要な設定を実行する。これらの設定後ＷＥＢサーバーとして機能するか確認を実行して、ＷＥＢサーバーの完成である。
次に、顧客との有償貸与あるいは販売等の契約に基づき、このＷＥＢサーバーを顧客へ配送、インターネット接続モデム（ＡＤＳＬモデム等）のルーター設定の適正な変更について指導説明する。この顧客の自宅あるいは事務所に設置したＷＥＢサーバーに、顧客は作成した自己のホームページを掲載すれば、顧客希望のドメインで運営する顧客専用のＷＥＢサーバーが完成したことになる。
【実施例】
【０００７】  図１は本発明システムを模式的に表示したものである。インターネット通信網（１）にダイナミックＤＮＳサービス提供サーバー（２）と顧客専用のＷＥＢサーバーが（３）接続し、この顧客専用のＷＥＢサーバーには本発明の事業体によって、その内部にＩＰアドレス更新ツール（クライアントソフト）とＨＴＴＰサーバーソフトがインストールされ、顧客希望ドメインがこのＷＥＢサーバーで運営可能となるように、ホスト名、ドメイン名、ログインＩＤ、パスワード等の入力設定が完了している。
【図面の簡単な説明】
【０００８】
【図１】  ダイナミックＤＮＳサービス提供サーバーと顧客専用のＷＥＢサーバーのインターネット接続の模式図
【符号の説明】
【０００９】１  インターネット通信網
２  ダイナミックＤＮＳサービス提供サーバー
３  顧客専用のＷＥＢサーバー
【図１】
2006302237.tif 000003